【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
磁気共鳴（ＭＲ）イメージングシーケンスによりＭＲ装置の測定視野（２１）内の検査対象（１２）の検査範囲内のＭＲ信号を検出する方法であって、ＭＲ装置が、測定視野（２１）にわたる第１の磁場不均一性を持つ分極磁場Ｂ０を発生する磁石（１１）を有し、
（ａ）分極磁場Ｂ０により検査対象（１２）内に磁化を生成するステップ、
（ｂ）ＭＲ信号の生成に使用する磁化を偏向するために検査範囲内に少なくとも１つの高周波パルス（２２，３１，３２）を照射するステップ、
（ｃ）ＭＲ信号の空間エンコーディングのために少なくとも１つの第１の傾斜磁場（２３，２４，３３〜３６）を印加するステップ、
（ｄ）ＭＲイメージングシーケンスの期間にわたり変化する時間的に可変の電流によって生成される少なくとも１つのパルス状の補償傾斜磁場（２５，３７，３８）を、ＭＲイメージングシーケンスの期間全体より短い補償期間（２７，４３，４４）にわたり印加することにより、その補償期間（２７，４３，４４）の間、第１の磁場不均一性をこの第１の磁場不均一性より少ない測定視野にわたる第２の磁場不均一性に低減するステップ、
（ｅ）ＭＲ信号を検出するステップ
を含む検査対象の検査範囲内のＭＲ信号の検出方法。
【請求項２】
測定視野（２１）にわたる第１の磁場不均一性が、１ｍＴよりも大きいことを特徴とする請求項１記載の方法。
【請求項３】
第２の磁場不均一性が、第１の磁場不均一性よりも１００分の１少ないことを特徴とする請求項１または２記載の方法。
【請求項４】
少なくとも１つの第１の傾斜磁場（２３，２４，３３〜３６）および少なくとも１つのパルス状の補償傾斜磁場（２５，３７，３８）が、それぞれ線形傾斜磁場と高次傾斜磁場との重み付け線形結合によって決定されることを特徴とする請求項１乃至３の１つに記載の方法。
【請求項５】
測定視野にわたる第２の磁場不均一性が、少なくとも１つのパルス状の補償傾斜磁場の印加中に２０μＴ以下であることを特徴とする請求項１乃至４の１つに記載の方法。
【請求項６】
少なくとも１つの高周波パルス（２２，３１，３２）が第１の期間にわたり照射され、ほぼ第１の期間に対応する補償期間（２７，４３，４４）の間、少なくとも１つのパルス状の補償傾斜磁場が印加されることを特徴とする請求項１乃至５の１つに記載の方法。
【請求項７】
ＭＲイメージングシーケンスの期間にわたりほぼ常に第１の傾斜磁場またはパルス状の補償傾斜磁場が印加されていることを特徴とする請求項１乃至６の１つに記載の方法。
【請求項８】
第１の磁場不均一性の空間依存性を示すＢ０磁場マップが算出され、第１の磁場不均一性を第２の磁場不均一性に低減するために、少なくとも１つのパルス状の補償傾斜磁場により生成される空間依存性の補償磁場が算出されることを特徴とする請求項１乃至７の１つに記載の方法。
【請求項９】
ＭＲ信号がスピンエコーであり、９０°高周波パルス（３１）が第１の期間にわたり検査範囲内に照射され、１８０°高周波パルス（３２）が第２の期間にわたり照射され、パルス状の補償傾斜磁場が第１の期間および第２の期間に対応する補償期間（４３，４４）にわたり印加されることを特徴とする請求項１乃至８の１つに記載の方法。
【請求項１０】
ＭＲ信号がグラジエントエコーであり、αパルス（２２）が第１の期間にわたり検査範囲内に照射され、α≦９０°であり、パルス状の補償傾斜磁場が第１の期間に対応する補償期間（２７）にわたり印加されることを特徴とする請求項１乃至８の１つに記載の方法。
【請求項１１】
少なくとも１つの第１の傾斜磁場（２３，２４，３３〜３６）と少なくとも１つのパルス状の補償傾斜磁場（２５，３７，３８）とが複数の傾斜磁場コイル（１３）によって生成され、第１の傾斜磁場とパルス状の補償傾斜磁場とを同時に印加する際に、異なる傾斜磁場コイルにおいて必要とされる電流強さを算出するために、個々の傾斜磁場コイルのための重み付け線形結合の重み係数が個別に算出されて算術加算されることを特徴とする請求項４乃至１０の１つに記載の方法。
【請求項１２】
検査範囲内の磁化の所望の偏向を発生させるべく、磁化偏向のために複数の高周波送信チャンネルが同時に使用されることを特徴とする請求項１乃至１１の１つに記載の方法。
【請求項１３】
第１の傾斜磁場が、線形傾斜磁場と高次傾斜磁場との重み付け線形結合であるスライス選択傾斜磁場または読み出し傾斜磁場であることを特徴とする請求項１乃至１２の１つに記載の方法。
【請求項１４】
第１の磁場不均一性が、式
Ｇ（ｘ，ｙ，ｚ）＝ｚ2−（ｘ2＋ｙ2）／２
で記述される空間的形状を有する非線形傾斜磁場波形によって表されることを特徴とする請求項１乃至１３の１つに記載の方法。
【請求項１５】
複数の受信コイルがＭＲ信号を同時に検出し、それらの受信コイルがそれぞれ受信コイル感度を有し、受信コイル感度と、補償傾斜磁場と、ＭＲ信号の空間エンコーディングのための第１の傾斜磁場とがＯ空間法または零空間法に基づいて算出されることを特徴とする請求項１乃至１４の１つに記載の方法。
【請求項１６】
磁気共鳴（ＭＲ）イメージングシーケンスにより検査対象の検査範囲内のＭＲ信号を生成するＭＲ装置（１）であって、
測定視野にわたり分極磁場Ｂ０の第１の磁場不均一性を有する分極磁場Ｂ０を生成して検査対象内に磁化を生成する磁石（１１）と、
ＭＲ信号の生成に使用される磁化を偏向するために検査範囲に少なくとも１つの高周波パルスを照射するように構成されている高周波ユニット（１５）と、
ＭＲ信号の空間エンコーディングのための少なくとも１つの第１の傾斜磁場（２３，２４，３３〜３６）を印加すると共に、ＭＲイメージングシーケンスの期間にわたり変化する時間的に可変の電流によって生成される少なくとも１つのパルス状の補償傾斜磁場（２５，３７，３８）を、ＭＲイメージングシーケンスの期間全体より短い補償期間（２７，４３，４４）にわたり印加することにより、その補償期間の間、第１の磁場不均一性をこの第１の磁場不均一性より少ない測定視野にわたる第２の磁場不均一性に低減するように構成されている傾斜磁場ユニット（１６）と
を有するＭＲ装置。
【請求項１７】
傾斜磁場ユニット（１６）が、少なくとも１つの第１の傾斜磁場と、少なくとも１つのパルス状の補償傾斜磁場とを、線形傾斜磁場と高次傾斜磁場との重み付け線形結合によって算出するよう構成されていることを特徴とする請求項１６記載のＭＲ装置。
【請求項１８】
高周波ユニットが、少なくとも１つの高周波パルスを第１の期間にわたり照射するように構成されており、傾斜磁場ユニットが、ほぼ第１の期間に対応する補償期間の間、少なくとも１つのパルス状の補償傾斜磁場を印加するように構成されている請求項１６または１７記載のＭＲ装置。
【請求項１９】
傾斜磁場ユニット（１６）が、ＭＲイメージングシーケンスの期間にわたりほぼ常に第１の傾斜磁場（２３，２４，３３〜３６）またはパルス状の補償傾斜磁場（２５，３７，３８）を印加するように構成されていることを特徴とする請求項１６乃至１８の１つに記載のＭＲ装置。
【請求項２０】
傾斜磁場ユニット（１６）が、第１の磁場不均一性の空間依存性を示すＢ０磁場マップを算出し、かつ第１の磁場不均一性を第２の磁場不均一性に低減するために少なくとも１つのパルス状の補償傾斜磁場により生成される空間依存性の補償磁場を算出するように構成されていることを特徴とする請求項１６乃至１９の１つに記載のＭＲ装置。
【請求項２１】
磁石（１１）が、ｚ方向の第１の磁石端部における２つの第１のコイル要素と、ｚ方向の第２の磁石端部における２つの第２のコイル要素とからなり分極磁場Ｂ０をｚ方向に生成する４つのコイル要素を有する超電導磁石であることを特徴とする請求項１６乃至２０の１つに記載のＭＲ装置。
【請求項２２】
傾斜磁場ユニットが、分極磁場Ｂ０の方向に２つの互いに分離されたコイル部分を持つ１つの傾斜磁場コイル（５０）を有することを特徴とする請求項１６乃至２１の１つに記載のＭＲ装置。
【請求項２３】
傾斜磁場ユニットが、分極磁場Ｂ０の方向において分極磁場を生成するコイル要素の両側に突出する大きさを有する１つの傾斜磁場コイル（５０）を有することを特徴とする請求項２１または２２記載のＭＲ装置。